(57)【要約】【課題】以前の状態に戻すという機能を容易に可能にしたことにより、設定内容変更時、文字入力時におけるユーザの操作利便性を向上させる。【解決手段】再設定手段として、以前設定していた複数の設定内容を順次記憶するメモリ１１ｂと、設定内容を前記以前設定の状態に戻す操作を指示する機能キー１０と、この機能キー１０の指示によりメモリ１１ｂに記憶した前記設定内容を読み出す（戻す）制御部と、制御部からの前記設定内容を表示する表示手段１３とを有し、再設定手段が、以前のユーザ設定に戻す動作をすることを特徴とする。【選択図】  図１
2005352845.tif 000002
【特許請求の範囲】
【請求項１】
表示手段に表示された設定内容を記憶し、操作入力手段により、以前設定していた設定内容を読み出すことにより、前記設定内容を戻す再設定手段を備えることを特徴とするユーザ設定装置。
【請求項２】
再設定手段は、以前設定していた複数の設定内容を順次記憶するメモリと、このメモリの記憶内容を前記以前設定の状態に戻すように指示する操作入力手段とを有する請求項１記載のユーザ設定装置。
【請求項３】
操作入力手段は、一つ前の設定状態に戻すように指示する第１の操作入力手段と、表示している設定内容より以後の設定内容に進むように指示する第２の操作入力手段とからなる請求項１または２記載のユーザ設定装置。
【請求項４】
操作入力手段は、機能キーからなる請求項１，２または３記載のユーザ設定装置。
【請求項５】
メモリは、現状のユーザ設定内容を保存する第１のメモリと、以前の設定内容を順次保存しておく第２のメモリとを有する請求項２または３記載のユーザ設定装置。
【請求項６】
第２のメモリは、同じ設定内容を重複して記憶する場合には、古い設定内容を破棄し、最新の設定内容を記憶するようにした請求項５記載のユーザ設定装置。
【請求項７】
表示手段が、設定内容を表す画像を表示する請求項１または２記載のユーザ設定装置。
【請求項８】
表示手段は、過去の設定内容を記憶した一覧表を表示する請求項１または２記載のユーザ設定装置。
【請求項９】
請求項１乃至８のうちの１項に記載のユーザ設定装置を用いたことを特徴とする携帯電話機。
【請求項１０】
請求項１乃至８のうちの１項に記載のユーザ設定装置を用いたことを特徴とする移動体無線端末。
【請求項１１】
表示手段に表示された設定内容を記憶し、機能キーの操作により、以前設定していた設定内容を読み出すことにより、前記以前設定していた設定内容に戻すことを特徴とするユーザ設定方法。
【請求項１２】
以前のユーザ設定に戻す操作は、以前設定していた複数の設定内容を順次記憶し、この記憶内容を機能キーの操作により読み出して前記以前設定した状態に戻す請求項１１記載のユーザ設定方法。
【請求項１３】
以前のユーザ設定に戻す操作は、その設定を戻すべき機能を表示して、現在の設定内容を表示し、設定状態を戻す機能キーを操作し、記憶した１つ前の設定内容を読み出し、この１つ前の設定内容がある時、その１つ前の設定内容を表示する請求項１１記載のユーザ設定方法。
【請求項１４】
１つ前の設定内容を表示する際に、設定状態に戻す機能キーの設定キャンセルがなく、もう１つ前に戻る操作がない場合に前記１つ前の設定内容を表示する請求項１３記載のユーザ設定方法。
【発明の詳細な説明】
【技術分野】
【０００１】
本発明は、携帯電話機などのユーザ設定装置およびその設定方法に関し、特に再設定を容易にできるユーザ設定装置およびその設定方法に関する。
【背景技術】
【０００２】
従来の携帯電話機においては、ユーザが何らかの機能を設定する際に、以前の設定状態に戻したいことがある。この携帯電話機の機能設定において設定内容を変更した場合、以前の設定に戻すには設定内容を変更した時と同様の操作を行って再設定を行う必要があった。また、文字入力をする場合においても、入力した文字を削除して再び入力しなおさなければならなかったため煩わしいものであった。
【０００３】
例えば、図１０は従来例の画面設定を説明する模式図であり、ユーザが以前設定していた待受画面に戻したい場合を示す。まず、表示画面Ｄ５１で待受画面設定を表示し、表示画面Ｄ５２で現在の待受画面を表示する。ここではファイル「Ｓｕｎ．ｊｐｇ」が表示されている。この表示をした後で、待受画面を変更させるために表示画面Ｄ５３で画像一覧を表示する。ここでは、画像一覧として（１）Ｓｕｎ．ｊｐｇ（２）Ｍｅｒｃｕｒｙ．ｊｐｇ（３）Ｍａｒｓ．ｊｐｇ（４）Ｅａｒｔｈ．ｊｐｇ（５）Ｍｏｏｎ．ｊｐｇが示されている。ところが、現在の携帯電話機はカメラ付き携帯電話機が主流になっていることもあり、携帯電話機内には多数の画像が存在しているため、所望の画像を探し当てるのが大変である。また、以前どの画像を設定していたか思い出すことができない場合も考えられる。
【０００４】
従来例の携帯電話機として、ブラウザ機能を搭載してインターネットの接続により複数のＷｅｂページを参照可能なものを、図１１の正面図に示す。この携帯電話機は、ブラウザ機能を搭載した本体２０ａと、この本体の表面に配置されてインターネットに接続して複数のＷｅｂページを表示可能な表示部１３ａとを備えている。この携帯電話機は、本体２０ａに配置されて表示部１３ａにＷｅｂページを表示した状態で一つ前に参照したＷｅｂページに戻る機能を単一のキーにより確定して実行できるように形成した機能キーを有している。
【０００５】
この携帯電話機は、図１１に示すように、本体２０ａと、表示部１３ａと、操作キー１０ａとを備えている。本体２０ａは、外装を形成するフロントケース及びリアケースからなる。表示部１３ａは、本体２０ａの表面に露出して所定の情報を表示する。また、操作キー１０ａは、表示部１３ａの近傍に複数形成されて所定機能を実行する。ここで、本体２０ａ内には、ブラウザ機能を備えた回路部を形成するプリント基板を備えている。また、表示部１３ａは、本体２０ａ内のプリント基板に実装されて外側に露出するように配置している。この表示部１３ａは、所定の情報を表示する液晶表示器（ＬＣＤ）からなり、例えば、インターネットに接続して種々のＷｅｂページを表示できる。
【０００６】
また、操作キー１０ａは、テンキー１０１と、回線キー１０２と、十字方向キー１０３と、選択キー１０４と、第１機能キー１０５及び第２機能キー１０６とを備えている。テンキー１０１は、電話番号などの数字入力や所定の操作を行い、回線キー１０２は、回線を接続及び切断する。また、十字方向キー１０３は、所定の機能を選択し、選択キー１０４は、十字方向キー１０３により選択した機能を確定して実行する。第１機能キー１０５及び第２機能キー１０６は、所定の特殊機能（例えば、メニューを表示して選択等）を実行する。
【０００７】
この携帯電話機をインターネットに接続する場合は、ユーザが携帯電話機の本体２０ａを、携帯電話会社等の提供する通信回線を介してインターネットに接続する。そして、ユーザは、表示させたい情報のアドレス（ＵＲＬ：Ｕｎｉｆｏｒｍ  Ｒｅｓｏｕｒｃｅ  Ｌｏｃａｔｏｒ）を操作キー１０ａにより入力して携帯電話会社に送信することで、所望のリスト（Ｗｅｂページ）を得ることができる。
【０００８】
この携帯電話機では、Ｗｅｂページを参照する際に最も頻繁に用いる機能が戻る機能であることに着目し、この戻る機能を実行するキーに、メニューを呼び出す機能と、このメニューから戻る機能とを同じ第１機能キー１０５に持たせている。通常、表示部１２には、メニューの下端に「進む、選択、戻る」などの機能項目が表示されるが、この携帯電話機では、「進む」と「戻る」とが逆に表示されている。即ち、この機能項目は、第１機能キー１０５を押下すると「戻る」が実行され、選択キー１０４を押下すると「選択」が実行され、第２機能キー１０６を押下すると「進む」が実行される。
【０００９】
従って、表示器１２に表示した一つ前のＷｅｂページに戻る場合、メニューを呼び出した状態で再び第１機能キー１０５を押下することで、一つ前に参照したＷｅｂページが表示される（例えば、特許文献１参照）。
【００１０】
【特許文献１】特開２００１−３３３１７３号
【発明の開示】
【発明が解決しようとする課題】
【００１１】
この従来の特許文献１の場合は、表示部と機能キーの配置を工夫して、１つの機能キーに、メニューを呼び出す機能と、このメニューから戻る機能と持たせ、一つまたはいくつも前に参照したＷｅｂページを表示出来るようにしている。この場合、１つの機能キーで操作を容易に実行できるが、沢山の画像を表示していた場合には、すぐ前の画像がどれであったかは不明となり、以前設定していた設定内容が分からなくなる問題がある。また、文字入力をする場合には、入力した文字を削除して再び入力しなおさなければならなかったため煩わしいものであった。さらに、再設定の場合、以前どの画像を設定していたか思い出すことができない場合も考えられる。
【００１２】
本発明の目的は、以前の状態に戻すという機能を容易にして、設定内容変更時、文字入力時におけるユーザの操作利便性を向上させたユーザ設定装置およびその設定方法を提供することにある。
【課題を解決するための手段】
【００１３】
本発明のユーザ設定装置の構成は、表示手段に表示された設定内容を記憶し、操作入力手段により、以前設定していた設定内容を読み出すことにより、前記設定内容を戻す再設定手段を備えることを特徴とする。
【００１４】
本発明において、再設定手段は、以前設定していた複数の設定内容を順次記憶するメモリと、このメモリ内容を前記以前設定の状態に戻すよう指示する操作入力手段とを有することができ、また、操作入力手段が、一つ前の設定状態に戻すように指示する第１の操作入力手段と、表示している設定内容より以後の設定内容に進むように指示する第２の操作入力手段操とからなることが出来、また、操作入力手段が、機能キーからなることが出来る。また、本発明のメモリは、現状のユーザ設定を保存する第１のメモリと、以前の設定内容を順次保存しておく第２のメモリとを有することができ、また、第２のメモリは、同じ設定内容を重複して記憶する場合に古い設定内容を破棄し、最新の設定内容を残すようにすることもできる。また、本発明の表示手段は、設定内容を表す画像を表示することができ、また、表示手段は、過去の設定内容を記憶した一覧表を表示することもできる。
【００１５】
また、本発明のパーソナルコンピュータ、携帯電話機または移動体無線端末の構成は、このようなユーザ設定装置を用いたことを特徴とする。
【００１６】
本発明のユーザ設定方法の構成は、表示手段に表示された設定内容を記憶し、機能キーの操作により、以前設定していた設定内容を読み出すことにより、前記以前設定していた設定内容に戻すことを特徴とする。
【００１７】
本発明において、以前のユーザ設定に戻す操作は、以前設定していた複数の設定内容を順次記憶し、この記憶内容を機能キーの操作により前記以前設定の状態に戻すことができ、また、以前のユーザ設定に戻す操作は、その設定を戻すべき機能を表示して、現在の設定内容を表示し、設定状態に戻す機能キーを操作し、記憶した１つ前の設定内容を読み出し、この１つ前の設定内容がある時、その１つ前の設定内容を表示することができ、また、１つ前の設定内容を表示する際に、設定状態に戻すキーの設定キャンセルがなく、もう１つ前に戻る操作がない場合に前記１つ前の設定内容を表示することができる。
【発明の効果】
【００１８】
以上説明したように、本発明は、表示手段に表示された設定内容を記憶し、操作入力手段により、以前設定していた設定内容を読み出すことにより、前記設定内容を戻す再設定手段を備えている。このため設定手段が、たった今間違えて設定した内容や少し以前に設定した内容を、どのような設定変更をしたのか思い出す必要なく、再設定手段により、容易に元に戻すことができ、設定装置のユーザの利便性を向上できるという効果がある。
【発明を実施するための最良の形態】
【００１９】
次に図面により本発明の実施形態を説明する。図１は本発明の実施形態で用いる携帯電話機のブロック図、図２（ａ）（ｂ）は図１に用いられるメモリ１１の構成を説明する図である。本実施形態は、キーボード１０と、メモリ１１と、制御回路部１２と、ディスプレイ１３と、無線部１４とから構成されている。キーボード１０は、以前の状態に戻す機能キーを有するものであり、メモリ１１は、以前設定していた複数件の設定内容を保存する。制御回路部１２は、各部を制御するＣＰＵ１２１を内蔵している。ディスプレイ１３は、設定内容やデータを表示し、無線部１４は、アンテナ１４１を介して送受信を行う。さらに、制御回路部１２にはマイク１５，スピーカ１６が接続されている。
【００２０】
キーボード１０には、テンキー１０１、回線キー１０２、十字方向キー１０３、選択キー１０４、機能キー１０５，１０６などがある。この場合、文字や項目を入力、選択、削除する機能や、一つ前の状態に戻すことのできるＵｎｄｏの機能がそれぞれキーに割り付けられている。以下、Ｕｎｄｏの機能を割り付けられているキーを「Ｕｎｄｏキー」と呼ぶ。このＵｎｄｏキーが本実施形態の主な機能を実行する。
【００２１】
ＣＰＵ１２１は、キーボード１０から入力した設定の内容をメモリ１１ａおよびメモリ１１ｂに書き込む機能、Ｕｎｄｏキーを操作した際にメモリ１１ｂから設定内容を読み出しディスプレイ１３に表示する機能、表示した設定内容を反映させる機能を持つ。ディスプレイ１３は、キーボード１０のＵｎｄｏキー操作や決定、入力等を操作したことによる効果を表示する働きを持つ。
【００２２】
メモリ１１は、現状のユーザ設定を保存するメモリ１１ａと、以前の設定を保存しておくメモリ１１ｂとから構成される。メモリ１１ａは、例えば待受画面が「Ｍｏｏｎ．ｊｐｇ」、着メロが「Ｗｉｎｄ．ｍｌｄ」や、ボタン確認音が「ＯＮ」等の現状のユーザ設定を保存しておくところである。メモリ１１ａには，図２（ａ）のように「機能名」「設定内容」の二つの要素があり、「機能名」は何の機能であるか、「設定内容」は機能設定の内容をそれぞれ表している。
【００２３】
メモリ１１ｂは、何らかの設定変更があったときに，以前の設定を保存しておくところである。このメモリ１１ｂは、図２（ｂ）のように「管理番号」「機能名」「設定内容」の三つの要素がある。「管理番号」は、メモリ１１ｂ内において時系列順に番号付けられる。「機能名」は、何の機能であるかを表している。「設定内容」には、「機能名」について以前設定されていた内容が格納されている。メモリ１１ｂは、例えば、管理番号１で機能が「待受」、設定内容が「Ｓｕｎ．ｊｐｇ」、 管理番号２で機能が「ボタン」、設定内容が「ＯＦＦ」・・管理番号Ｍで機能が「待受」、設定内容が「Ｔｒｅｅ．ｊｐｇ」となっていたことを示している。
【００２４】
このＵｎｄｏキーが操作された場合は、この「設定内容」をディスプレイ１３に表示する。何らかの設定変更があった時には、現状のユーザ設定をメモリ１１ａの「機能名」と「設定内容」から読み出し、メモリ１１ｂの「機能名」と「設定内容」に書き込み，「管理番号」を付けることで以前の設定内容を保存する。
【００２５】
なお、Ｕｎｄｏキーとしては、キーボード１０に設けられた回線キー１０２、十字方向キー１０３、選択キー１０４や、図１１に示したような機能キー１０５，１０６のうち任意のキーまたはキーの組合せを用いて操作することが出来る。
【００２６】
本実施形態の構成によれば、たった今間違えて設定した内容や少し以前に設定した内容を、どのような設定変更をしたのか思い出す必要なく元に戻すことを可能にすることによりユーザの利便性を向上できる。
【実施例１】
【００２７】
次に、図３は本発明の一実施例を説明するフローチャート及び図４はその設定変更を説明する表示画面の模式図である。これらの図を参照して本実施例の動作について詳細に説明する。ここでは待受画面設定を例として挙げる。まず、以前の設定に戻したい機能を選択して表示する（図３のステップＳ１１、図４のＤ１１）。そして、現在設定している内容を表示する（ステップＳ１２、Ｄ１２）。ここで「Ｕｎｄｏキー」を操作して一つ前の設定に戻す動作を開始する（ステップＳ１３）。
【００２８】
このＵｎｄｏキーを操作する（ステップＳ１３）と、ＣＰＵ１２１はメモリ１１ｂに保存している以前設定した待受画面の内容を読み出し（ステップＳ１４）、一つ前の状態で設定した画像が存在しているかどうかを確認する（ステップＳ１５）。そして画像が存在しない場合（ＮＯ）には、「以前の設定画像が存在しません。」等のメッセージを表示して（ステップＳ１７）操作を終了する。また、画像が存在する場合（ＹＥＳ）は、その設定内容をディスプレイ１３に表示する（ステップＳ１６、Ｄ１３）。また、途中で設定変更を取り消す場合は、ステップＳ１８で設定のキャンセルの有無を調べ、設定のキャンセルがあれば（ＹＥＳ）操作の取り消し操作をすることによって設定変更をせずに終了することができる。
【００２９】
ステップＳ１６で、以前の設定内容をディスプレイ１３に表示させる段階でまだ設定を変更しない場合（ＮＯ）は、さらに以前の設定内容を読み出すかどうかを選択する（ステップＳ１９）。ここで、さらに以前の設定内容を読み出すならば（ＹＥＳ）、ステップＳ１３に戻り「Ｕｎｄｏキー」の操作を繰り返すことによって、所望の設定内容を読み出すことができる。また、以前の設定内容を読み出さないならば（ＮＯ）、所望の設定内容をディスプレイ１３に表示し、ステップＳ２０において決定操作を行うことにより設定内容を変更する。最後に、ステップＳ２１において、例えば「待受画面をＭｏｏｎ．ｊｐｇに変更しました。」等の設定を変更したメッセージをディスプレイ１３に表示（Ｄ１４）して終了となる。
【００３０】
次に、ＣＰＵ１２１がメモリ１１ｂから以前の設定を読み出す手順例について、図２（ｂ）を用いて説明する。まず、設定を変更しようとしている機能名に一致する内容をメモリ１１ｂのパラメータ「機能名」から読み出し、その中で最新の「管理番号」を持つ「設定内容」を読み出す。そこで「設定内容」に格納している内容に従いディスプレイ１３に表示する。ここでは、管理番号Ｍの「待受」「Ｔｒｅｅ．ｊｐｇ」が表示される。
【００３１】
本実施例の構成によれば、たった今間違えて設定した内容や少し以前に設定した内容を、どのような設定変更をしたのか思い出す必要なく元に戻すことを可能にすることによりユーザの利便性を向上できる。
【実施例２】
【００３２】
次に、本発明の第２の実施例について図５の模式図を参照して詳細に説明する。本実施例は、表示画面Ｄ１５では「Ｕｎｄｏキー」を必要以上に操作したため、所望の設定内容よりも以前の内容を表示している。ここでは表示している内容よりも以後の設定内容を表示する働きを持つ「Ｒｅｄｏキー」を用意する。
【００３３】
まず、表示画面Ｄ１１のように設定変更したい機能を表示し、現在の設定内容を表示画面Ｄ１２に表示する。そこで「Ｕｎｄｏキー」を１回操作して表示画面Ｄ１３を表示しようとしたが、「Ｕｎｄｏキー」を誤って２回操作して表示画面Ｄ１３よりも以前に設定した表示画面Ｄ１５を表示した。ここで「Ｒｅｄｏキー」を１回操作することにより所望の設定である表示画面Ｄ１６を表示する。「Ｒｅｄｏキー」を操作するということは、ＣＰＵ１２１がディスプレイ１３に表示している内容のメモリ１１ｂに格納してある「機能名」を読み出し、その「機能名」を持つ「管理番号」よりも一つ新しい「管理番号」を持つ「設定内容」に格納されている内容を読み出し、その内容に従いディスプレイ１３に表示する。
【００３４】
この第２の実施例の場合は、「Ｕｎｄｏキー」を必要以上に操作してしまったとしても「Ｒｅｄｏキー」の操作により所望の設定内容を最小操作回数にて選択可能となるという効果がある。
【実施例３】
【００３５】
次に、本発明の第３の実施例について図６を参照して詳細に説明する。本実施例は、過去の設定内容変更の一覧を表示するようにしたことである。まず、表示画面Ｄ１１のように設定変更したい機能を表示し、現在の設定内容を表示画面Ｄ２２に表示する。例えば、ファイル「Ｓｕｎ．ｊｐｇ」が表示される。そこで「Ｕｎｄｏキー」を１回操作すると、過去にその機能で設定内容を変更した一覧をディスプレイ１３に表示する（表示画面Ｄ１３）。過去設定一覧として（１）「Ｍｏｏｎ．ｊｐｇ」（２）「Ｓｔａｒ．ｊｐｇ」）（３）「Ｔｒｅｅ．ｊｐｇ」が表示される。ここで過去設定一覧から所望の画像（３）「Ｔｒｅｅ．ｊｐｇ」を選択することで設定内容を変更する。ＣＰＵ１２１は表示画面Ｄ２３を表示するにあたって、メモリ１１ｂに格納してある設定内容の「機能名」を読み出し、同じ機能名を持つ「設定内容」を「管理番号」が新しい順にディスプレイ１３に一覧表示する。そして表示画面Ｄ２４のように「待ち受け画面をＴｒｅｅ．ｊｐｇに変更しました。」と表示する。
【００３６】
この第３の実施例の場合は、過去の設定内容の一覧表示をすることにより、ユーザが所望の設定内容を選択しやすくなる効果がある。
【実施例４】
【００３７】
次に、本発明の第４の実施例について図７（ａ）（ｂ）の模式図を参照して詳細に説明する。本実施例は、文字入力に対して、以前の状態に戻す「Ｕｎｄｏキー」の他に、以後の状態にする「Ｒｅｄｏキー」を適用することである。
【００３８】
図７（ａ）は従来例の場合の表示画面を示す。ここでは「強い意志」という文字を入力しようとする場合である。表示画面Ｄ３１で「つよいいし」を入力し、文字変換操作を行うとまず「強い石」と変換される（表示画面Ｄ３２）。ここで「強い」を確定した後「石」を再変換すればよいが、表示画面Ｄ３３のように、間違えて「強い石」を確定してしまう場合もある。ここから本来入力しようとしていた「強い意志」にするためには、「石」を削除する操作を行い（表示画面Ｄ３４）、再び「いし」を入力し（表示画面Ｄ３５）、変換操作を行い「意志」を選択し（表示画面Ｄ３６）、最後に決定することによって、表示画面Ｄ３７のように「強い意志」を確定する。上記のような従来までの方法では、一度確定した文字を削除して再び入力・変換動作を繰り返すことになり煩わしい。
【００３９】
そこで本実施例では、図７（ｂ）のように、表示画面Ｄ４１で「つよいいし」を入力し、文字変換操作を行うとまず「強い石」と変換される（表示画面Ｄ４２）。そして表示画面Ｄ４３で「強い石」を確定したあとで「Ｕｎｄｏキー」を操作することにより、メモリ１１ｂから一つ前の状態を読み出す、つまり「強い石」を確定する前の状態に戻し（表示画面Ｄ４５）、変換操作で「強い意志」を選択し（表示画面Ｄ４６）、所望の「強い意志」を確定することができる。表示画面Ｄ４５の状態で、やはり「強い石」としたい場合は「Ｒｅｄｏキー」を操作することによって「意志」から「石」に再変換することができる。
【００４０】
この第４の実施例の場合は、間違えて確定した入力文字を削除、再入力するという煩わしい動作を無くし、「Ｕｎｄｏキー」で以前の状態に戻し、「Ｒｅｄｏキー」で以後の状態にすることにより文字入力の利便性を向上させる効果がある。
【実施例５】
【００４１】
次に、本発明の第５の実施例について図８、図９のメモリ構成図を参照して詳細に説明する。本実施例は、メモリ容量を有効に使用するようにした方法である。まず、各機能のメモリ１１ｂにおけるメモリ容量をあらかじめ定めておく。例えば「待受画面設定」はユーザによって何度も変更される可能性があるため、多くのメモリ容量を確保する必要がある。一方「自動電源ＯＦＦ」のように選択肢が少ない機能設定については、メモリ容量を必要最小限にすることでメモリを有効に使用することができる。メモリ容量があらかじめ定めた容量を超える場合、古い設定内容から順に破棄するようにする。
【００４２】
まず、メモリ１１ｂ内にあらかじめ機能ごとに固定した領域を確保すると、図８（ａ）のメモリ構造Ｍ１１のように、管理番号１，２に「待受」として「Ｍｏｏｎ．ｊｐｇ」「Ｓｋｙ．ｊｐｇ」、管理番号３，４に「バイブ」・・管理番号Ｍ−１，Ｍに「ボタン」のようになる。この場合には、管理番号３，４・・Ｍ−１，Ｍが未使用となり、一度も使用することのない領域が出てくることも考えられる。
【００４３】
このような場合の対応として、機能ごとの固定領域の確保を行わずに、図８（ｂ）のように、設定変更が行われた時に領域を新たに確保する方式を取り入れることで、メモリを有効に使用することができる。すなわち、図８（ｂ）のメモリ構造Ｍ１２のように、例えば、管理番号１，２に「待受」として「Ｍｏｏｎ．ｊｐｇ」「Ｓｋｙ．ｊｐｇ」がある。ここで、メモリ構造Ｍ１２の状態から、管理番号３でバイブ設定が「ＯＦＦ」に変更されると、メモリ構造Ｍ１３のように新たな領域を確保すればよい。
【００４４】
また、図９のメモリ構造Ｍ１４のように、管理番号１，２に「待受」として「Ｒｏａｄ．ｊｐｇ」「Ｓｅａ．ｊｐｇ」があり、管理番号３で以前と同じ内容の「待受」「Ｒｏａｄ．ｊｐｇ」が設定された場合、同じ内容が複数存在してもあまり意味をなさないため、メモリ構造Ｍ１５のように重複する内容のうち古い設定内容「Ｒｏａｄ．ｊｐｇ」を破棄することにより、メモリを有効に使用することができる。従って、管理番号１，２に「待受」として「Ｓｅａ．ｊｐｇ」「Ｒｏａｄ．ｊｐｇ」がくることになる。
【００４５】
この第５の実施例の場合は、メモリを無駄なく使うことによりメモリ容量を有効に利用できる効果がある。
【産業上の利用可能性】
【００４６】
本発明は、一般に、操作部と表示部とを持ちユーザ設定が行えるユーザ設定装置・機器に適用できる。すなわち、本発明は、例えば、パーソナルコンピュータや各種制御装置、また、一般の携帯電話機や、移動体無線端末にも適用することができる。
【図面の簡単な説明】
【００４７】
【図１】本発明の第１の実施形態を説明する携帯電話機のブロック図である。
【図２】（ａ）（ｂ）は図１のメモリの構成を説明するメモリ構成図である。
【図３】図１の動作を説明するフローチャートである。
【図４】図１の動作の設定変更を説明する模式図である。
【図５】本発明の第２の実施例の設定を戻しすぎた動作を説明する模式図である。
【図６】本発明の第３の実施例の以前の設定内容を表示する模式図である。
【図７】（ａ）（ｂ）は従来例および本発明の第４の実施例の文字入力方法を説明する模式図である。
【図８】（ａ）（ｂ）は本発明の第５の実施例の現状のユーザ設定内容を保存するメモリの構成を説明する構成図である。
【図９】本発明の第５の実施例の以前の設定内容を保存するメモリの構成を説明するメモリ構成図である。
【図１０】従来例の携帯電話機の動作を説明する模式図である。
【図１１】他の従来例の携帯電話機を説明する正面図である。
【符号の説明】
【００４８】
１０，１０ａ    キーボード（操作キー）
１１，１１ａ，１１ｂ    メモリ
１２    制御回路部
１３，１３ａ    ディスプレイ（表示部）
１４    無線部
１５    マイク
１６    スピーカ
２０，２０ａ    携帯電話機
１０１    テンキー
１０２    回線キー
１０３    十字方向キー
１０４    選択キー
１０５，１０６    機能キー
１２１    ＣＰＵ
１４１    アンテナ
【図１】
2005352845.tif 000003
【図２】
2005352845.tif 000004
【図３】
2005352845.tif 000005
【図４】
2005352845.tif 000006
【図５】
2005352845.tif 000007
【図６】
2005352845.tif 000008
【図７】
2005352845.tif 000009
【図８】
2005352845.tif 000010
【図９】
2005352845.tif 000011
【図１０】
2005352845.tif 000012
【図１１】
2005352845.tif 000013